(57)【要約】      （修正有）【課題】人体通信を使用し、いつ、誰が巡回したのかを容易かつ確実にナースコール親機へ送信することが可能で、さらにバイタル情報を取得すれば、当該人体通信により簡単に看護記録をナースコール親機に残すことを可能とする。【解決手段】ナースコールシステムは、ナースコール親機、制御機、廊下灯及びナースコール子機とから構成されるナースコールシステムであって、看護師は、看護師ＩＤ情報が記憶された看護師用人体通信発信機を備え、ナースコール子機は、ナースコール子機ＩＤを有し、看護師が触れたとき看護師用人体通信発信機の情報を受信する人体通信受信部と、人体通信受信部が受信した看護師ＩＤ情報及びナースコール子機ＩＤ情報をナースコール親機へ送信する制御をおこなう子機ＣＰＵを備えた。【選択図】図１
2010172451.tif 000002
【特許請求の範囲】
【請求項１】
ナースコール親機、制御機、廊下灯及びナースコール子機とから構成されるナースコールシステムであって、
看護師は、看護師ＩＤ情報が記憶された看護師用人体通信発信機を備え、
前記ナースコール子機は、ナースコール子機ＩＤを有し、前記看護師が触れたとき前記看護師用人体通信発信機の情報を受信する人体通信受信部と、前記人体通信受信部が受信した看護師ＩＤ情報及び前記ナースコール子機ＩＤ情報を前記ナースコール親機へ送信する制御をおこなう子機ＣＰＵを備えたことを特徴とするナースコールシステム。
【請求項２】
ナースコール親機、制御機、廊下灯及びナースコール子機とから構成されるナースコールシステムであって、
看護師は、看護師ＩＤ情報が記憶された看護師用人体通信発信機を備え、
患者は、患者ＩＤ情報が記憶された患者用人体通信発信機を備え、
前記ナースコール子機は、前記看護師が前記人体通信受信部に触れたとき前記患者ＩＤ情報、前記看護師ＩＤ情報及び前記ナースコール子機ＩＤ情報を前記ナースコール親機へ送信する制御をおこなう子機ＣＰＵを備えたことを特徴とするナースコールシステム。
【請求項３】
前記ナースコール親機は、前記患者ＩＤ情報及び前記看護師ＩＤ情報を受信した際に、同じナースコール子機ＩＤ情報も受信されたことを条件に看護記録として看護情報記憶部に記憶する制御をおこなう親機ＣＰＵを備えたことを特徴とする請求項２記載のナースコールシステム。
【請求項４】
前記看護情報記憶部には、通信時刻情報を合わせて記憶すること特徴とする請求項２又は請求項３記載のナースコールシステム。
【発明の詳細な説明】
【技術分野】
【０００１】
本発明は、人体通信を利用して容易かつ確実に患者の看護記録をおこなうことができるナースコールシステムに関する。
【背景技術】
【０００２】
従来のナースコールシステムとして、巡回して患者の様子を見るに当たり、巡回したことを記録に残すためにナースコール子機に設けられた専用のボタンを操作してナースコール親機に記録するものがあった。
また、バイタル等を記録するのにＰＤＡ等を使用して記録し、それらをまとめてナースコール親機に転送し、看護記録を残すものもあった（例えば特許文献１）。
【０００３】
【特許文献１】特開平１１−１５５８２２号広報
【発明の開示】
【発明が解決しようとする課題】
【０００４】
しかしながら、従来例のナースコールシステムにおいては、ナースコール子機に設けた専用ボタンを操作しても誰が操作したのかわからず、誤って患者が押してしまう虞があった。また、たとえ看護師が操作したとしても誰が操作したのかが不明であり、巡回の情報としては不足するものであった。
さらに、バイタルを他のＰＤＡシステムを使って記録するので非常に手間であった。
【０００５】
本発明は、上述の難点を解消するためになされたもので、人体通信を使用し、いつ、誰が巡回したのかを容易かつ確実にナースコール親機へ送信することが可能で、さらにバイタル情報を取得すれば、当該人体通信により簡単に看護記録をナースコール親機に残すことを可能としている。
【課題を解決するための手段】
【０００６】
上記課題を解決するために本発明によるナースコールシステムは、ナースコール親機、制御機、廊下灯及びナースコール子機とから構成されるナースコールシステムであって、看護師は、看護師ＩＤ情報が記憶された看護師用人体通信発信機を備え、ナースコール子機は、ナースコール子機ＩＤを有し、看護しが触れたとき看護師用人体通信発信機の情報を受信する人体通信受信部と、人体通信受信部が受信した看護師ＩＤ情報及びナースコール子機ＩＤ情報をナースコール親機へ送信する制御をおこなう子機ＣＰＵを備えたことを特徴とする。
また、本発明によるナースコールシステムは、ナースコール親機、制御機、廊下灯及びナースコール子機とから構成されるナースコールシステムであって、看護師は、看護師ＩＤ情報が記憶された看護師用人体通信発信機を備え、患者は、患者ＩＤ情報が記憶された患者用人体通信発信機を備え、ナースコール子機は、看護師が人体通信受信部に触れたとき患者ＩＤ情報、看護師ＩＤ情報及びナースコール子機ＩＤ情報をナースコール親機へ送信する制御をおこなう子機ＣＰＵを備えたことを特徴とする。
【０００７】
また、本発明によるナースコールシステムは、請求項２において、ナースコール親機は、患者ＩＤ情報及び看護師ＩＤ情報を受信した際に、同じナースコール子機ＩＤ情報も受信されたことを条件に看護記録として看護情報記憶部に記憶する制御をおこなう親機ＣＰＵを備えたことを特徴とする。
また、本発明によるナースコールシステムは、請求項２又は請求項３において、看護情報記憶部には、通信時刻情報を合わせて記憶すること特徴とする。
【発明の効果】
【０００８】
本発明の請求項１のナースコールシステムによれば、巡回にきた看護師がナースコール子機に触れるだけで看護師ＩＤ情報が送信されるのでいつ、だれが巡回したのかを容易に看護記録として残すことが可能となる。
請求項２のナースコールシステムによれば、看護師の情報だけでなく、患者の情報も容易に送信することが可能なので、どの患者を巡回したのかの記録も容易に残すことができる。なお、患者が本来のベッドにいない場合であってもナースコール子機のＩＤも送信できるので、ナースコール子機にベッド違いであることをしらせることも可能となる。
【０００９】
請求項３のナースコールシステムによれば、同じタイミングで異なるナースコール子機に患者と看護師が人体通信した場合であっても、ナースコール子機ＩＤが異なるので誤検出であると判断し、看護記録をおこなわないようにすることが可能となる。
【００１０】
請求項４のナースコールシステムによれば、いつ巡回したのかがわかるので後日、確認するにあたり便利である。
【発明を実施するための最良の形態】
【００１１】
以下、本発明のナースコールシステムを適用した最良の実施の形態例について、図面を参照して説明する。
図１は、本発明の実施例によるナースコールシステムの構成図であり、ナースステーションに設置され、看護師が患者と通話するためのナースコール親機１と、ナースコールシステムを制御するための制御機２と、後述するナースコール子機からの呼び出しを報知するための廊下灯３と、患者が看護師を呼び出して通話するためのナースコール子機４と、看護師が携行し、人体通信をおこなうための看護師用人体通信発信機５と、患者が携行し、人体通信をおこなうための患者用人体通信発信機６とを備えている。
【００１２】
ナースコール親機１は、図３のブロック図に示すように、患者情報及び看護情報を表示するための液晶表示部（LCD）１１、LCDを制御するLCDコントローラ１２、名前、性別、住所等の患者情報を記憶する患者情報記憶部１３と、看護師が患者と通話するための通話部１４と、救護区分、感染症、バイタル情報等を記憶する看護情報記憶部１５と、制御機２と通信するためのＩＦ１６とから構成されている。
【００１３】
また、ナースコール子機４は、図２のブロック図に示すように、患者が看護師と通話するためのマイク４１及びスピーカ４２と、看護師又は患者が携行する人体通信発信機５、６と通信するための人体通信受信部４３と、患者が看護師を呼び出すために操作するナースコールボタン４４と、ナースコール子機ごとに設定されているナースコール子機のＩＤが記憶されたナースコール子機ＩＤ記憶部４５と、廊下灯３と通信するためのＩＦ４６と、ナースコール子機４を制御する子機ＣＰＵ４７とを備えている。
【００１４】
なお、人体通信技術は、人体を通信媒体とし、人体や服の表面から0〜数ｃｍ程度の通信距離となるBody Area Networks（IEEE 802.15.6）等の技術を採用する。
このように構成されたナースコールシステムにおいて、以下、動作を説明する。
なお、患者が看護師を呼び出して通話する点については従来と同様であるので説明を省略する。
【００１５】
（実施例１）
巡回中の看護師が、例えば子機番号「１０１−１」のナースコール子機４が備えられた１０１号室に患者の様子を見に行く場合には、看護師が患者の様子を確認し、特に問題がなければナースコール子機４の人体通信受信部４３に触れる。
【００１６】
すると子機ＣＰＵ４７は、看護師用人体通信発信機５に予め記憶された看護師ＩＤ情報「００１」を読み出して看護師ＩＤ情報「００１」を取得する。
この情報ナースコール子機ＩＤ記憶部４５に予め記憶された子機ＩＤ「１０１−１」が付加され、子機ＣＰＵ４７、ＩＦ４６を介して廊下灯３に送信される。廊下灯３は、制御機２に送信し、当該制御機２を経由してナースコール親機１に送信される。ナースコール親機１ではＩＦ１６を介して親機ＣＰＵ１７で受信され、当該親機ＣＰＵの制御により看護情報記録部１５にて時刻情報とともに記憶される。
【００１７】
これにより、看護情報記録部１５には、子機ＩＤ情報及び看護師ＩＤ情報、更に時刻情報が記憶されるため、いつ、誰が、どこを巡回したのかを容易に把握することが可能となる。
【００１８】
（実施例２）
次に、例えば子機番号「１０１−１」のナースコール子機４が備えられた１０１号室に患者の様子を見に行く場合において、看護師が患者の様子をみるために患者に触れる。
【００１９】
すると子機ＣＰＵ４７は、看護師用人体通信発信機５に予め記憶された看護師ＩＤ情報「００１」を読み出して看護師ＩＤ情報「００１」を取得する。
同時に、患者用人体通信発信機６に予め記憶された患者ＩＤ情報「０００１０００」が看護師の人体を介して取得することができる。
子機ＣＰＵ４７は、この看護師ＩＤ情報及び患者ＩＤ情報に第１の実施例同様、情報ナースコール子機ＩＤ記憶部４５に予め記憶された子機ＩＤ「１０１−１」が付加して第１の実施例と同様の経路を経由してナースコール親機１にて受信される。
【００２０】
また、ナースコール親機１ではＩＦ１６、親機ＣＰＵ１７を介して看護情報記録部１５にて時刻情報とともに記憶される。
これにより、看護情報記録部１５には、子機ＩＤ情報、看護師ＩＤ情報及び時刻情報に加えて患者ＩＤ情報も記憶されるため、いつ、誰が、どこで、誰を巡回したのか容易に把握することが可能となる。
また、本実施例では、患者ＩＤ情報とともに子機ＩＤ情報も記憶されるので、患者が本来のベッドにいない場合であっても、ナースコール子機にベッド違いであることをしらせることも可能となる。つまり、ベッド違いであることを知らせる警報は、ナースコール親機１から送信し、逆の経路をたどってナースコール子機にて受信される。ナースコール子機４はスピーカ４２から警報を報知することで看護師にしらせることとなる。
【００２１】
なお、上記実施例において、ナースコール親機１が患者ＩＤ情報及び看護師ＩＤ情報を受信した際に、異なる子機ＩＤ情報であった場合には、誤検出であると判断し、看護記録をおこなわないようにすることが可能である。これにより、患者が誤ってナースコール子機１の人体通信受信部４３を操作した場合であっても看護記録として残ることがない。
【図面の簡単な説明】
【００２２】
【図１】本発明によるナースコールシステムのシステム構成図。
【図２】本発明によるナースコールシステムのナースコール子機のブロック図。
【図３】本発明によるナースコールシステムのナースコール親機のブロック図。
【符号の説明】
【００２３】
１  ナースコール親機
２  制御機
３  廊下灯
４  ナースコール子機
４３  人体通信受信部
４７  子機ＣＰＵ
５  看護師用人体通信発信機
６  患者用人体通信発信機
【図１】
2010172451.tif 000003
【図２】
2010172451.tif 000004
【図３】
2010172451.tif 000005